(57)【要約】【課題】天井にコンパクトに設置でき、かつ、小さな電力で能率良く室内の空気を循環し得るファン一体型の照明装置を提供する。【解決手段】下面５ａ側に複数個のＬＥＤ３が散点状に配設された取付板５と、取付板５の下方の中央領域Ｃに配設される筒体４と、取付板５の周縁部に固着され、かつ、中央に窓部９を有する半透明の下方凸状カバー６と、通気孔１２を有し筒体４の下端を施蓋する蓋部材２とを、備え、筒体４と蓋部材２によって形成される中央空間部１０に小型ファン７を内有して、下方凸状カバー６の中央から風Ｗを吹き出すように構成されている。【選択図】図１
2017020757.tif 000002
【特許請求の範囲】
【請求項１】
中央領域（Ｃ）に小型ファン（７）を内有し、半透明の下方凸状カバー（６）の中央から風（Ｗ）を吹き出すように構成されたことを特徴とする照明装置。
【請求項２】
下面（５ａ）側に複数個のＬＥＤ（３）が散点状に配設された取付板（５）と、該取付板（５）の下方の中央領域（Ｃ）に配設される筒体（４）と、上記取付板（５）の周縁部に固着され、かつ、中央に窓部（９）を有する半透明の下方凸状カバー（６）と、通気孔（１２）を有し上記筒体（４）の下端を施蓋する蓋部材（２）とを、備え、
上記筒体（４）と上記蓋部材（２）によって形成される中央空間部（１０）に小型ファン（７）を内有して、上記下方凸状カバー（６）の中央から風（Ｗ）を吹き出すように構成されたことを特徴とする照明装置。
【請求項３】
上記中央空間部（１０）内に、イオン発生器（１３）と、活性石を含有するセラミック粒（１４）とを、内有している請求項２記載の照明装置。
【請求項４】
上記取付板（５）は、１００Ｖの交流電圧を１２Ｖの直流電圧に変換するインバータ（１６）を備え、該インバータ（１６）からの１２Ｖの直流電圧にて、上記ＬＥＤ（３）を点灯させ、かつ、上記小型ファン（７）を作動させるように構成されている請求項２又は３記載の照明装置。
【請求項５】
上記取付板（５）は円盤状に形成され、かつ、上記筒体（４）は円筒状に形成され、該筒体（４）の内径（Ｄ１）は、上記取付板（５）の直径（Ｒ）の１５％〜２５％の大きさに設定されている請求項２，３又は４記載の照明装置。
【請求項６】
下面（５ａ）側に照明灯（２０）を保持する取付板（５）と、該取付板（５）の下方の中央領域（Ｃ）に配設される筒体（４）と、上記取付板（５）の周縁部に固着され、かつ、中央に窓部（９）を有する半透明の下方凸状カバー（６）と、通気孔（１２）を有し上記筒体（４）の下端を施蓋する蓋部材（２）とを、備え、
上記筒体（４）と上記蓋部材（２）によって形成される中央空間部（１０）に小型ファン（７）を内有して、上記下方凸状カバー（６）の中央から風（Ｗ）を吹き出すように構成されたことを特徴とする照明装置。
【発明の詳細な説明】
【技術分野】
【０００１】
本発明は、照明装置に関する。
【背景技術】
【０００２】
従来、天井に吊り下げて設置する照明器具に、室内の空気を循環（対流）させる天井扇風機（シーリングファン）を一体化した照明装置が提案されている（特許文献１参照）。
【先行技術文献】
【特許文献】
【０００３】
【特許文献１】特開２００５−１５５５５８号公報
【発明の概要】
【発明が解決しようとする課題】
【０００４】
しかし、特許文献１の照明装置は、回転する際の直径が１ｍを超えるような大きな羽根を備え、天井の広さによっては、大きな羽根が邪魔になって設置の障害となることがあった。また、直径の大きな羽根を回転させるために、大きな電力が必要となり、電気代が増大するという問題があった。しかも、天井扇風機を作動させる際、羽根の上に積もった埃や塵が室内に舞い落ちてくるという欠点があった。
【０００５】
そこで、本発明は、天井にコンパクトに設置でき、かつ、小さな電力で能率良く室内の空気を循環し得るファン一体型の照明装置を提供することを目的とする。
【課題を解決するための手段】
【０００６】
本発明に係る照明装置は、中央領域に小型ファンを内有し、半透明の下方凸状カバーの中央から風を吹き出すように構成されたものである。
また、下面側に複数個のＬＥＤが散点状に配設された取付板と、該取付板の下方の中央領域に配設される筒体と、上記取付板の周縁部に固着され、かつ、中央に窓部を有する半透明の下方凸状カバーと、通気孔を有し上記筒体の下端を施蓋する蓋部材とを、備え、上記筒体と上記蓋部材によって形成される中央空間部に小型ファンを内有して、上記下方凸状カバーの中央から風を吹き出すように構成されたものである。
【０００７】
また、上記中央空間部内に、イオン発生器と、活性石を含有するセラミック粒とを、内有しているものである。
また、上記取付板は、１００Ｖの交流電圧を１２Ｖの直流電圧に変換するインバータを備え、該インバータからの１２Ｖの直流電圧にて、上記ＬＥＤを点灯させ、かつ、上記小型ファンを作動させるように構成されているものである。
また、上記取付板は円盤状に形成され、かつ、上記筒体は円筒状に形成され、該筒体の内径は、上記取付板の直径の１５％〜２５％の大きさに設定されているものである。
【０００８】
また、下面側に照明灯を保持する取付板と、該取付板の下方の中央領域に配設される筒体と、上記取付板の周縁部に固着され、かつ、中央に窓部を有する半透明の下方凸状カバーと、通気孔を有し上記筒体の下端を施蓋する蓋部材とを、備え、上記筒体と上記蓋部材によって形成される中央空間部に小型ファンを内有して、上記下方凸状カバーの中央から風を吹き出すように構成されたものである。
【発明の効果】
【０００９】
本発明の照明装置によれば、天井にコンパクトに設置でき、小型ファンで十分なため消費電力を低く抑えることができる。外観上、デザインがスマートで、通常の照明装置と同様の外観であって、美観を向上できる。埃や塵を室内に撒き散らすことなく室内の空気を循環（対流）させ、清浄かつ快適な環境を維持することができる。
【図面の簡単な説明】
【００１０】
【図１】本発明の実施の一形態を示した断面正面図である。
【図２】本発明の照明装置をカバー及び蓋部材を取り外した状態で示した底面図である。
【図３】本発明の照明装置を示した斜視図である。
【図４】本発明の照明装置の使用状態を示した斜視図である。
【図５】本発明の他の実施形態を示した断面正面図である。
【発明を実施するための形態】
【００１１】
以下、実施の形態を示す図面に基づき本発明を詳説する。
図１と図２に示すように、本発明の照明装置は、下面５ａ側に複数個のＬＥＤ３が散点状に配設された取付板５と、取付板５の下方の中央領域Ｃに配設される筒体（小筒体）４と、取付板５の周縁部に固着され、かつ、中央に窓部９を有する半透明の下方凸状カバー６と、通気孔（吹出孔）１２を有し筒体４の下端を施蓋する蓋部材２とを、備えている。
本発明の照明装置は、取付板５の中央に固着されたアダプターＡが、天井１に予め備え付けられた配線器具Ｂに嵌着され、天井１に吊持されている。
【００１２】
図２では、取付板５は、全体が円盤状に形成され、複数個のＬＥＤ３が配列されたＬＥＤ基板１８が、下面５ａ側に複数枚取付けられている。ＬＥＤ基板１８は、扇形乃至矩形状に形成され、ＬＥＤ３が同時に点灯するように全てのＬＥＤ基板１８が電気的に接続されている。取付板５の上面５ｂには、スポンジやゴム等の弾性を有するスペーサーＳ，Ｓが付設され、スペーサーＳ，Ｓが天井１に圧接することで、取付板５の回転を防止している。取付板５は、下面５ａにＬＥＤ３の点灯や後述の小型ファン７の作動を制御するための電気部品が配設され、この電気部品の一部又は全部は、環状のフード２３によって覆われている。
【００１３】
筒体４は、有底円筒状であって、取付板５の下方の中央領域Ｃに垂設されている。筒体４は、下方の開口部８の周縁部に外鍔部８ａを有し、外鍔部８ａには、ネジ孔が貫設されている。筒体４は、底壁部に複数の貫通孔１７，１７が設けられ、貫通孔１７，１７は取付板５の孔部と連通連結している。
カバー６は、半透明の合成樹脂から成り、全体として下方に凸となるように断面が弯曲し、平面視で円形状に形成されている。中央の窓部９は、筒体４の内径Ｄ１と同一の直径の円形に形成されている。カバー６は、外端部に複数の小突起６ａ，６ａを突設している。カバー６の小突起６ａ，６ａが、取付板５の周縁部に貫設された孔部２１に嵌着され、かつ、窓部９を開口部８に一致させ、筒体４の下端に連結（固着）されている。カバー６の外面には、酸化チタン等の光触媒が噴霧又は塗布されている。カバー６の外面が光触媒によってコーティングされることで、カバー６の外面が汚れにくくなり、美しい外観が長期にわたって保持される。
蓋部材２は、硬質の合成樹脂から成り、円環状の枠材１９を介して筒体４の下端に嵌着されている。図３に示すように、蓋部材２は、周端縁部以外の部分を網目状とし、この網目をもって通気孔（吹出孔）１２が形成されている。なお、図１に示すように、蓋部材２の上面（裏面）には、消臭（脱臭）効果のある活性炭１５が付設されている。
【００１４】
図１と図２に示すように、筒体４と蓋部材２によって形成される中央空間部１０に、小型ファン７を内有している。
小型ファン７は、筒体４に装入される平面視四角形状の外枠２２と、複数の羽根１１ａを有する小型のプロペラ１１とを、有し、外枠２２に回転自在に枢着したプロペラ１１を電気モーターＭによって回転駆動している。
プロペラ１１は、ゲルマニウムと、酸化アルミニウムと酸化ジルコニウムとカーボンの混合物と、鉱石（岩石粉）と、が混入された樹脂で構成されている。具体的には、基材としてＡＢＳ樹脂を９０重量％〜９８重量％、ゲルマニウムを０．１重量％〜０．３重量％、上記の混合物を１．０重量％〜１．５重量％と、鉱石（岩石粉）を２．０重量％〜５．０重量％で配合している。この構成により、小型ファン７は、空気清浄効果（脱臭、ニコチンやタールの除去、ウィルスや細菌の除去等）、及び、リラックス効果、美容効果が付加されている。なお、小型ファン７の外枠２２や蓋部材２が、ゲルマニウムを含有する上記の樹脂で構成されていても良い。
【００１５】
また、中央空間部１０には、イオン発生器１３と、活性石を含有するセラミック粒１４とを、内有している。
イオン発生器１３は、マイナスイオン発生用電極２５と、半円ドーム型の保護カバー２６とを、有し、筒体４の底面に固着されている。マイナスイオン発生用電極２５は、薄い帯状（リボン状）金属板を断面Ｌ字状に折曲げて、一方の折曲片の側端縁に切込みを入れて三角形の山部及び谷部を交互に形成して鋸刃状としたものである。マイナスイオン発生用電極２５は、直流の負電圧（例えば、マイナス４０００Ｖ〜マイナス７０００Ｖ）が印加することで、中央空間部１０内の空気をマイナスイオン化する。
セラミック粒１４は、活性石の粉末を含む球状成形体であって、樹脂製のかご形ケース部材２７に複数個が保持され、複数個のかご形ケース部材２７が筒体４の底面に固着されている。活性石は、二酸化硅素及びアルミナを主成分とし、二酸化チタン等様々な種類の金属酸化物を微量成分として含んでいる。活性石は、例えば、石英斑岩、花崗岩、麦飯岩、トルマリン（電気石）、安山岩、流紋岩、泥岩、砂岩等の天然岩石（鉱物）を用いられる。これらの天然岩石（鉱物）は、遠赤外線放射性や抗菌、消臭（脱臭）性、及び、微弱磁場形成能等を備え、この岩石の粉末又は粉末を含有する成型品で水や空気を処理して動物や植物に与えることにより、これら生物細胞を活性化できるものとして注目されている。特に、天降石（大分県祖母山系で産出）と呼ばれる岩石は、上記の生物細胞の活性化機能に特に優れる点で好ましい。セラミック粒１４は、具体的には、活性石（天然岩石）を粉砕して得られた粉末を水溶性セルロース粉末と混合し、次いで水を添加、混合し、得られた泥状物を直径２ｍｍ〜１０ｍｍ、より好ましくは２ｍｍ〜５ｍｍの球状（球体）に成形し、乾燥させた後、焼結したものが望ましい。あるいは、上記天然岩石の粉末を、合成樹脂又はその発泡体から成る直径２ｍｍ〜１０ｍｍの球体の表面に膜状に固着して球状に成形しても良い。セラミック粒１４は、イオン交換により中央空間部１０内の空気をマイナスイオン化する。
なお、イオン発生器１３（マイナスイオン発生用電極２５）とセラミック粒１４は、空気をマイナスイオン化する作用を相互に高め合い、小さな空間に共存することで相乗効果を生じる。中央空間部１０には筒体４の底壁部に設けた複数の貫通孔１７，１７から空気を取り込むことが可能であり、取り込んだ空気が、イオン発生器１３又はセラミック粒１４の近傍を通って小型ファン７に送られるように構成されている。
【００１６】
図１と図２に示すように、筒体４の内径Ｄ１は、取付板５の直径Ｒの１５％〜２５％の大きさに設定されている。
本発明の照明装置は、全体の中央領域Ｃに、筒体４と蓋部材２によって小さな容積の中央空間部１０が形成され、イオン発生器１３とセラミック粒１４によって、中央空間部１０内の空気が高濃度にマイナスイオン化される。イオン発生器１３とセラミック粒１４の相乗効果により、中央空間部１０内の空気のマイナスイオン濃度（密度）がより一層向上する。
筒体４の内径Ｄ１が、取付板５の直径Ｒの１５％未満であると、内装できる小型ファン７のサイズが過小となり、十分な風を送ることができない。また、筒体４の内径Ｄ１が、取付板５の直径Ｒの２５％を超えると、中央空間部１０の容積が大きくなり、中央空間部１０から放出されるマイナスイオンの濃度が低下する。
【００１７】
取付板５は、１００Ｖの交流電圧を１２Ｖの直流電圧に変換するインバータ１６を備え、インバータ１６からの１２Ｖの直流電圧にて、ＬＥＤ３を点灯させ、かつ、小型ファン７を作動させるように構成されている。
即ち、ＬＥＤ３と小型ファン７は、電源を共用している。なお、ＬＥＤ３を点灯させると共に小型ファン７を作動させる際、消費電力は１．０Ｗｈ未満となる。
また、取付板５は、ＬＥＤ３の点灯と小型ファン７の作動とを切換える切換手段を備え、切換手段に電気的に接続されたリモコン受信部２４を備えている。リモコン受信部２４は、図示省略のリモコンからの電気信号を受けるためのセンサーを有している。
【００１８】
上述した本発明の照明装置の使用方法（作用）について説明する。
図３と図４に示すように、本発明の照明装置は、天井１に設けられ、ＬＥＤ３の点灯と小型ファン７の作動とをリモコンによる遠隔操作で切換えることが可能である。ＬＥＤ３は、切換手段によって、点灯状態と消灯状態に切換えられ、かつ、点灯状態の明暗を複数段階に調節することができる。小型ファン７は、切換手段によって、作動のＯＮとＯＦＦが切換えられ、送風の強弱を複数段に切換えることができる。小型ファン７を作動させることで、半透明の下方凸状カバー６の中央（蓋部材２の通気孔１２）から風Ｗが吹き出して、室内の空気が循環（対流）する。室内の空気が循環することで、冷暖房の効率が向上し、使用電力量を低減する。
【００１９】
イオン発生器１３は、マイナスイオン発生用電極２５にマイナス４０００Ｖ〜マイナス７０００Ｖの負電圧が印加されると、中央空間部１０内の空気をマイナスイオン化する。セラミック粒１４は、イオン発生器１３との相乗効果により、中央空間部１０内のマイナスイオンを増加させる。中央空間部１０内には、例えば、１００万個／ｃｍ3以上の濃度（密度）でマイナスイオンが発生する。
小型ファン７は、中央空間部１０内の空気をカバー６の中央（通気孔１２）から下方に吹出し、吹き出す風Ｗには、多量のマイナスイオンが含まれる。図４に示すように、本発明の照明装置は、室内の空気を循環すると共に、マイナスイオンを室内全体に拡散させて、室内空気中に混在するウィルスや雑菌を９９．７％以上死滅させ、煙草その他の悪臭を消して室内空気を爽やかにする。室内空気中に拡がったマイナスイオンは、空気を清浄化し、人の心を癒すリラックス効果、及び、住みよい空気に満たされた快適な環境とによって、心と身体を健康に保つ。また、アンモニアを３４％以上除去し、ホルムアルデヒドを３１％以上除去し、かつ、体臭・煙草・ペットの臭いを低減する消臭（脱臭）性も得られる。さらに、タールを９９％以上除去し、かつ、ニコチンを９４％以上除去する効果も得られた。さらに、肌の保湿性も１２０％以上に向上する。
【００２０】
次に、本発明の他の実施形態について説明する。
図５に示すように、下面５ａ側に照明灯２０を保持する取付板５と、取付板５の下方の中央領域Ｃに配設される下方開口状の筒体４と、取付板５の周縁部に固着され、かつ、中央に窓部９を有し筒体４に連結される半透明の下方凸状カバー６と、通気孔１２を有し筒体４の下端を施蓋する蓋部材２とを、備えている。筒体４と蓋部材２によって形成される中央空間部１０に、小型ファン７を内有して、下方凸状カバー６の中央（蓋部材２の通気孔１２）から風Ｗが吹き出すように構成されている。
照明灯２０は、環状の蛍光灯であって良く、あるいは、直管状の蛍光灯でも良い。また、ＬＥＤを環状に配列したものに置き換えることもできる。
筒体４、カバー６、蓋部材２、小型ファン７、その他の構成については、上述の実施形態と同様であるため詳しい説明を省略する。
【００２１】
なお、本発明は、設計変更可能であって、例えば、筒体４は、上下両方向に開口した短筒状であっても良く、そのようにすれば、上方からの空気吸入面積が増加できる。また、取付板５は、矩形状乃至多角形状でも良い。また、筒体４は角筒状乃至多角筒状でも良い。
【００２２】
以上のように、本発明に係る照明装置は、中央領域Ｃに小型ファン７を内有し、半透明の下方凸状カバー６の中央から風Ｗを吹き出すように構成されたので、天井１にコンパクトに設置でき、小型ファン７の消費電力を低く抑えることができる。外観上、デザインがスマートで、美観を向上できる。埃や塵を室内に撒き散らすことなく室内の空気を循環（対流）させ、清浄かつ快適な環境を維持することができる。
【００２３】
また、下面５ａ側に複数個のＬＥＤ３が散点状に配設された取付板５と、取付板５の下方の中央領域Ｃに配設される筒体４と、取付板５の周縁部に固着され、かつ、中央に窓部９を有する半透明の下方凸状カバー６と、通気孔１２を有し筒体４の下端を施蓋する蓋部材２とを、備え、筒体４と蓋部材２によって形成される中央空間部１０に小型ファン７を内有して、下方凸状カバー６の中央から風Ｗを吹き出すように構成されたので、天井１にコンパクトに設置でき、小型ファン７の消費電力を低く抑えることができる。外観上、デザインがスマートで、美観を向上できる。埃や塵を室内に撒き散らすことなく室内の空気を循環させ、清浄かつ快適な環境を維持することができる。
【００２４】
また、中央空間部１０内に、イオン発生器１３と、活性石を含有するセラミック粒１４とを、内有しているので、マイナスイオンが室内に広がり、室内空気中に混在するウィルスや雑菌を死滅させたり、煙草その他の悪臭を消したりして室内空気を爽やかにすることができる。
【００２５】
また、取付板５は、１００Ｖの交流電圧を１２Ｖの直流電圧に変換するインバータ１６を備え、インバータ１６からの１２Ｖの直流電圧にて、ＬＥＤ３を点灯させ、かつ、小型ファン７を作動させるように構成されているので、ＬＥＤ３と小型ファン７が電源を共用でき、構造及び電気回路が簡単で安価に製造でき、かつ、使用電力量を低減できる。
【００２６】
また、取付板５は円盤状に形成され、かつ、筒体４は円筒状に形成され、筒体４の内径Ｄ１は、取付板５の直径Ｒの１５％〜２５％の大きさに設定されているので、筒体４と蓋部材２によって形成される中央空間部１０の容積が十分に小さく、イオン発生器１３とセラミック粒１４によって、中央空間部１０内の空気を１００万個／ｃｍ3以上の高い濃度（密度）でマイナスイオン化できる。イオン発生器１３とセラミック粒１４の相乗効果により、中央空間部１０内の空気のマイナスイオン濃度（密度）をより一層向上できる。
【００２７】
また、下面５ａ側に照明灯２０を保持する取付板５と、取付板５の下方の中央領域Ｃに配設される筒体４と、取付板５の周縁部に固着され、かつ、中央に窓部９を有する半透明の下方凸状カバー６と、通気孔１２を有し筒体４の下端を施蓋する蓋部材２とを、備え、筒体４と蓋部材２によって形成される中央空間部１０に小型ファン７を内有して、下方凸状カバー６の中央から風Ｗを吹き出すように構成されたので、天井１にコンパクトに設置でき、小型ファン７の消費電力を低く抑えることができる。外観上、デザインがスマートで、美観を向上できる。埃や塵を室内に撒き散らすことなく室内の空気を循環させ、清浄かつ快適な環境を維持することができる。
【符号の説明】
【００２８】
２  蓋部材
３  ＬＥＤ
４  筒体
５  取付板
５ａ  下面
６  カバー
７  小型ファン
９  窓部
１０  中央空間部
１２  通気孔
１３  イオン発生器
１４  セラミック粒
１６  インバータ
２０  照明灯
Ｃ  中央領域
Ｄ１  内径
Ｒ  直径
Ｗ  風
【図１】
2017020757.tif 000003
【図２】
2017020757.tif 000004
【図３】
2017020757.tif 000005
【図４】
2017020757.tif 000006
【図５】
2017020757.tif 000007